(57)【要約】【課題】入力装置のキーに対して操作がされると、そのキーに割り当てられた機能のみならず、そのキー以外のキーに割り当てられた機能に係わる情報を表示させる。【解決手段】制御部は、キーに対して接触がされ（ステップＳ１０３の「接触」）、そのキーに割り当てられた機能を示すアイコンが表示されていない場合（ステップＳ１０４の「されていない」）、そのキーに割り当てられた機能を示すアイコンと、そのキーの近くに配置されたキーに割り当てられた機能を示すアイコンとを表示させ（ステップＳ１０５）、そのキーに割り当てられた機能説明文を表示させる（ステップＳ１０６）。【選択図】図４
2009276855.tif 000002
【特許請求の範囲】
【請求項１】
複数の入力素子が設けられた入力手段と、
表示手段と、
前記入力素子と、機能と、その機能に係わる情報とを関連付けて記憶する記憶手段と、
前記入力手段の入力素子から入力された場合、その入力がされた入力素子と関連付けられて前記記憶手段に記憶された機能に係わる情報と、その入力がされた入力素子以外の前記入力手段に設けられた入力素子と関連付けられて前記記憶手段に記憶された機能に係わる情報とを前記表示手段に表示させる制御手段と
を有することを特徴とする情報処理装置。
【請求項２】
前記制御手段は、前記入力がされた入力素子以外の前記入力手段に設けられた入力素子中の一部の入力素子と関連付けられて前記記憶手段に記憶された機能に係わる情報を前記表示手段に表示させる
ことを特徴とする請求項１に記載の情報処理装置。
【請求項３】
前記記憶手段に記憶される機能に係わる情報は、アイコンである
ことを特徴とする請求項１に記載の情報処理装置。
【請求項４】
第１の操作と、その第１の操作に続いて行われる第２の操作が入力される複数の入力素子が設けられた入力手段と、
表示手段と、
前記入力素子と、機能と、その機能に係わる情報とを関連付けて記憶する記憶手段と、
前記入力手段の入力素子によって前記第１の操作が入力された場合、その第１の操作が入力された入力素子と関連付けられて前記記憶手段に記憶された機能に係わる情報と、その第１の操作が入力された入力素子以外の前記入力手段に設けられた入力素子と関連付けられて前記記憶手段に記憶された機能に係わる情報とを前記表示手段に表示させ、前記第１の操作が入力された入力素子に前記第２の操作が入力された場合、その第２の操作が入力された入力素子と関連付けられて前記記憶手段に記憶された機能を動作させる制御手段と
を有することを特徴とする情報処理装置。
【請求項５】
前記制御手段は、前記第１の操作が入力された入力素子以外の前記入力手段に設けられた入力素子中の一部の入力素子と関連付けられて前記記憶手段に記憶された機能に係わる情報とを前記表示手段に表示させる
ことを特徴とする請求項４に記載の情報処理装置。
【請求項６】
前記記憶手段は、更に、前記入力素子と関連付けてアイコンを記憶し、
前記制御手段は、前記第１の操作が入力された入力素子以外の入力素子と関連付けられて前記記憶手段に記憶された機能に係わる情報として、その第１の操作が入力された入力素子以外の入力素子と関連付けられたアイコンを前記表示手段に表示させる
ことを特徴とする請求項４に記載の情報処理装置。
【請求項７】
前記制御手段は、前記入力素子によって前記第１の操作が入力された後、所定の時間以内にその入力素子によって前記第２の操作が入力された場合、その第１の操作が入力された入力素子以外の前記入力手段に設けられた入力素子と関連付けられて前記記憶手段に記憶された機能に係わる情報を前記表示手段に表示させない
ことを特徴とする請求項４に記載の情報処理装置。
【請求項８】
前記制御手段は、前記入力素子によって第１の操作が入力された後、所定の時間以内にその入力素子によって前記第２の操作が入力された場合、その入力素子と関連付けられて前記記憶手段に記憶された機能に係わる情報を前記表示手段に表示させない
ことを特徴とする請求項４に記載の情報処理装置。
【請求項９】
前記入力素子は、キーであり、
前記第１の操作は、前記キーへの接触操作であり、
前記第２の操作は、前記キーの押下操作である
ことを特徴とする請求項４に記載の情報処理装置。
【請求項１０】
前記入力素子は、キーであり、
前記第１の操作は、前記キーの半押し操作であり、
前記第２の操作は、前記キーの全押し操作である
ことを特徴とする請求項４に記載の情報処理装置。
【請求項１１】
前記入力素子は、感圧素子であり、
前記第１の操作は、前記感圧素子への所定の圧力以下の加圧操作であり、
前記第２の操作は、前記感圧素子への前記所定の圧力を超える加圧操作である
ことを特徴とする請求項４に記載の情報処理装置。
【発明の詳細な説明】
【技術分野】
【０００１】
本発明は、情報処理装置に係わり、特に、装置の使用者による容易な入力を支援する処理に関する。
【背景技術】
【０００２】
移動通信装置などの小型で携帯型の情報処理装置で、装置が有する機能の数は多いものの、表示部の表示画面は小さい。また、入力装置には、限られた数の入力素子、例えば、キーが設けられている。そこで、全ての機能を容易に識別するアイコンを表示部に表示させることはできない。即ち、表示されたアイコンによって機能を報知し、表示されたアイコンの中の１つが選択されると、その選択されたアイコンに対応する機能を動作させる処理は、表示されるアイコンのスクロールや、表示されたアイコンの選択のため、多数の入力キー操作が必要となり、好ましくない。
【０００３】
そこで、装置の使用者が装置の機能を動作させる際、各キーに機能を割り当てて、あるキーの押下によってそのキーに割り当てられた機能を動作させることによって、キー操作回数の削減が図る処理が知られている。また、装置の使用者がキーに割り当てられた機能を記憶することが困難な場合に対応し、キーへの第１の操作、例えば、接触が検出された場合、そのキーに割り当てられた機能に係わる情報を表示部に表示させ、そのキーへの第２の操作、例えば、押下がされた場合、そのキーに割り当てられた機能を動作させる処理が知られている（例えば、特許文献１参照。）。
【特許文献１】特開２０００−２７８３７４号公報（第２頁、図２、図４）
【発明の開示】
【発明が解決しようとする課題】
【０００４】
しかしながら、上述した特許文献１に開示されている方法では、第１の操作が検出された１つのキーに割り当てられた機能に係わる情報を表示させることができるものの、所望の機能がいずれのキーに割り当てられているかが不明な場合、装置の使用者は、各キーに第１の操作を行うため、多数のキーへの第１の操作が必要である問題点があった。
【０００５】
本発明は上記問題点を解決するためになされたもので、入力装置のキーに対して操作がされると、そのキーに割り当てられた機能のみならず、そのキー以外のキーに割り当てられた機能に係わる情報を表示させる情報処理装置を提供することを目的とする。
【課題を解決するための手段】
【０００６】
上記目的を達成するために、本発明の情報処理装置は、複数の入力素子が設けられた入力手段と、表示手段と、前記入力素子と、機能と、その機能に係わる情報とを関連付けて記憶する記憶手段と、前記入力手段の入力素子から入力された場合、その入力がされた入力素子と関連付けられて前記記憶手段に記憶された機能に係わる情報と、その入力がされた入力素子以外の前記入力手段に設けられた入力素子と関連付けられて前記記憶手段に記憶された機能に係わる情報とを前記表示手段に表示させる制御手段とを有することを特徴とする。
【発明の効果】
【０００７】
本発明によれば、入力装置のキーに対して操作がされると、そのキーに割り当てられた機能のみならず、そのキー以外のキーに割り当てられた機能に係わる情報を表示させることができる。
【発明を実施するための最良の形態】
【０００８】
以下に、本発明による情報処理装置の実施の形態を、図面を参照して説明する。図１は、本発明の実施形態に係わる情報処理装置が適用された開閉自在の折畳み型移動通信装置の、上下筐体の折畳みを開いた時の前面の外観図を示す。
【０００９】
この移動通信装置は、上筐体ＭＳ１と下筐体ＭＳ２とが、ヒンジ部ＭＳ３によって軸Ａ−Ａを中心に回動自在に連結されてなることによって、上下筐体ＭＳ１、ＭＳ２の角度が略０度（閉状態）から略１８０度（開状態）の間で開閉自在に構成されている。上筐体ＭＳ１の内面には、受話に用いられるスピーカ１４ａと、使用者に操作を促す表示や、使用者が操作した内容の表示や、カーソル位置や、装置の動作状態の表示などに用いられるバックライト付きのＬＣＤ（Liquid Crystal Display）からなる表示部１５とが設置されている。
【００１０】
また、下筐体ＭＳ２の内面には、送話に用いられるマイクロフォン１４ｂが設置されている。更に、下筐体ＭＳ２の内面には、入力素子であるキーパッドからなる入力装置１６が設けられている。また、下筐体ＭＳ２の内部には、電波の送受に用いられるアンテナが設置されている。
【００１１】
入力装置１６は、下筐体ＭＳ２の内面に設置され、主に電話番号を含む数字の入力や、文字及び記号の入力に用いられるダイヤルキー１６ａと、移動通信装置の電源の投入及び切断などの動作指示を含む、機能の選択や、選択された機能の確定を指示するために用いられる機能キー１６ｂとが設けられている。ここで、少なくともダイヤルキー１６ａは、キートップに静電センサーが備えられている。
【００１２】
ダイヤルキー１６ａは、１キー〜９キー、０キー、＊キー、及び＃キーの合計１２個のキーからなり、これらのキーは４行３列に配置されている。即ち、これらのキーは４行に、そして、各行には３個のキーが配置されている。この配置は、周知の通りであり、最上行には左から右へ１キー〜３キー、上から２行目には左から右は４キー〜６キー、上から３行目には左から右へ７キー〜９キー、最下行には左から右へ＊キー、０キー及び＃キーが配置されている。
【００１３】
機能キー１６ｂは、決定キー１６ｃと、決定キー１６ｃに隣接して決定キー１６ｃを取り囲んで設置され、決定キー１６ｃの上、下、左、及び、右方向に位置し、それぞれ上、下、左、及び、右方向を向かう矢印に類似した画像が表示された上、下、左、及び、右方向キーからなり、表示部１５上のカーソル位置の移動指示などに用いられる十字選択キー１６ｄとを含む。また、機能キー１６ｂは、下筐体ＭＳ２の内面で表示部１５の近く、即ち、上筐体ＭＳ１の近くに左から右へ設置され、表示部１５の下部に左から右に表示される第１の機能、と第２の機能とをそれぞれ選択するために用いられる第１の機能キー１６ｅと、第２の機能キー１６ｆとを含む。
【００１４】
また、ヒンジ部ＭＳ３には、上下筐体ＭＳ１、ＭＳ２が開状態にあるか、又は、閉状態にあるかを検出する開閉検出部（図示せず）が設置されて、その開閉検出部から開閉信号が出力されている。
【００１５】
図２は、本発明の実施形態に係わる情報処理装置が適用された移動通信装置の構成を示すブロック図である。この移動通信装置は、移動通信網（図示せず）を介した通話を含む通信等を行う装置であり、開閉信号ＭＳ３ａが入力され、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、アプリケーション処理部２１とを備える。
【００１６】
ここで、制御部１１には、キー機能対応１１ａが記憶される。また、アプリケーション処理部２１は、装置の使用者の指示に従って動作して、所定の機能を提供する。制御部１１と、アプリケーション処理部２１とは、コンピュータと、そのコンピュータによって利用されるプログラムとからなり、また、記憶部（図示せず）と、データ入出力部（図示せず）とを含む。そして、制御部１１は、ＯＳの機能を有する。
【００１７】
上記のように構成された、本発明の実施形態に係わる移動通信装置の各部の動作を、図２を参照して説明する。
【００１８】
制御部１１は、装置全体の制御を行う。通信部１２ｂは、アンテナ１２ａが受信した高周波信号を送受信部１３へ出力し、また、送受信部１３から出力される高周波信号をアンテナ１２ａより送信する。
【００１９】
送受信部１３は、通信部１２ｂからの高周波信号を増幅、周波数変換及び復調し、それによって得られたディジタル音声信号を通話部１４ｃへ、得られた制御信号を制御部１１へ、得られたアプリケーション処理に係わる信号をアプリケーション処理部２１へ送る。更には、送受信部１３は、通話部１４ｃから出力されるディジタル音声信号と、制御部１１から出力される制御信号と、アプリケーション処理部２１から出力されるアプリケーション処理に係わる信号とを変調、周波数変換及び増幅し、高周波信号を得て、それを通信部１２ｂに送る。
【００２０】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００２１】
表示部１５は、開閉信号ＭＳ３ａによって上下筐体ＭＳ１、ＭＳ２が開状態にあると判断される場合、制御部１１に制御されることで、カーソルを含む文字・数字を含む画像データの表示動作を行い、表示されているデータは、入力装置１６からの入力操作や着信信号の受信に応答して制御部１１からの指示を受けることで切換わる。また、所定の時間に渡って入力装置１６からの入力操作や着信信号の受信がない場合、及び、上下筐体ＭＳ１、ＭＳ２が閉状態にあることが開閉信号ＭＳ３ａによって判断される場合、表示部１５は、制御部１１に制御されて表示を終了する。
【００２２】
入力装置１６は、主に通信相手の電話番号などを指定し、また、トグル式の入力方式によってひらがな文字、アルファベット文字及び記号文字を入力するためのダイヤルキー１６ａと、機能の選択や、選択された機能の確定を指示するために用いられる機能キー１６ｂとからなる。
【００２３】
そして、入力装置１６のキーが入力操作されると、そのキーの識別子が制御部１１に通知され、制御部１１及び制御部１１を経由してその識別子を受信した処理部によって、表示部１５に文字として表示され、また、動作が行われる。
【００２４】
なお、入力装置１６のキーの中で、少なくともダイヤルキー１６ａのそれぞれのキーは、押下されたことを検出するスイッチに併せて、接触を検出するセンサー、例えば、静電センサーを備え、第１の操作である、例えば使用者の指の接触と、第１の操作に続いて行われる第２の操作である押下との２種類の操作の２種類の操作を入力する。いずれの操作が入力されたかは、制御部１１に通知される。
【００２５】
アプリケーション処理部２１は、以下の処理部（いずれも図示せず）を含む。第１に、電子メールを送信及び受信する電子メール送受信部である。第２に、Ｗｅｂサイトへアクセスするブラウザ部である。第３に、記憶部のアドレス帳に記憶された情報を管理するアドレス帳管理部である。第４に、記憶部に記憶された音楽を再生する音楽再生部である。第５に、画像入力装置から入力された画像を記憶部に記憶させる写真撮影部である。
【００２６】
第６に、画像入力装置から所定の時間間隔で入力された画像を記憶部に記憶させるビデオ撮影部である。第７に、ラジオ放送を受信するラジオ受信部である。第８に、テレビ放送を受信するテレビ受信部である。第９に、フォルダとファイルとの階層構造を用いて記憶部に情報を記憶させ、記憶されたフォルダ又はファイル一覧を表示させるデータフォルダ管理部である。
【００２７】
第１０に、外部記憶媒体との間のデータ入出力部を介して外部記憶媒体に記憶されたフォルダ又はファイル一覧を表示させる外部記憶媒体フォルダ管理部である。第１１に、赤外線入出力部を介して赤外線通信による情報の送受信を行なう赤外線通信部である。第１２に、非接触型ＩＣタグを介して近距離の無線データ入出力を行なう非接触ＩＣタグ通信部である。
【００２８】
制御部１１による制御動作には、以下の動作を含む。第１に、いわゆる留守番電話機能であり、通話着信があったことを示す信号を受信して装置の使用者による着呼操作がされない場合、その着信信号に着呼して、発信者からの音声信号を制御部１１内に記憶する動作であり、設定に従ってこの記憶する動作をし、又は、この動作をしない。第２に、留守録再生機能であり、制御部１１内に記憶された発信者からの音声信号を再生する。
【００２９】
第３に、通話発信が行なわれる毎に、その通話料金の概算を制御部１１内に記憶し、記憶された通話料金を表示部１５に表示させる。第４に、着信があった場合の報知方法を設定し、着信があると設定された方法によって報知する。着信報知手段には、報知用のスピーカ（図示せず）から着信音の発生、バイブレータ（図示せず）の振動などがある。
【００３０】
第５に、マナーモード、即ち、着信音を発生させず、バイブレータの振動によって着信を報知するモードの設定と、その設定の解除である。第６に、表示部１５の照明設定であって、例えば、表示部１５のバックライトの輝度の制御である。第７に、セキュリティ設定であって、暗証番号に入力による装置の使用者の認証を行なうか否かの設定、さらには、その認証動作である。
【００３１】
第８に、アラーム設定であって、曜日と時刻とを入力し、入力された曜日、時刻に、所定の時刻アラーム音を報知用のスピーカから発生させる設定である。第９に、文字入力設定であり、入力される文字が１バイト文字（半角文字と称されることがある。）か、２バイト文字（全角文字と称されることがある。）かを切り替える設定である。
【００３２】
第１０に、スケジュール設定であって、日時と予定とからなるスケジュールを制御部１１内に記憶し、記憶された日時が到来すると、所定のスケジュールアラーム音を報知用のスピーカから発生させる設定である。第１１に、上記以外の設定である。第１２に、待受画面、即ち、送受信部１３による通話動作、制御部１１の設定動作、又はアプリケーション処理部２１の動作によって表示部１５に表示がされない場合に表示部１５に表示される画像の設定である。
【００３３】
以下、本実施形態に係わる移動通信装置における、装置の使用者による容易な入力を支援する処理を説明する。
【００３４】
図３は、制御部１１内に記憶されるキー機能対応１１ａの構成の一例を示す。このキー機能対応１１ａは、キー１１ｂと、機能１１ｃと、アイコン１１ｄと、機能説明文１１ｅとが関連付けられた情報からなる。そして、１組の関連付けられた情報が１つのキーとそのキーに割り当てられた機能との対応を示し、機能１１ｃは、キー１１ｂに第２の操作がされた際の実行される機能である。また、アイコン１１ｄは、その機能の概要を示すアイコンであり、機能説明文１１ｅは、その機能に係わる説明文である。
【００３５】
キー１１ｂは、ダイヤルキー１６ａのそれぞれを示し、「１」〜「９」は、それぞれ１キー〜９キーに、「０」は０キーに、「＊」は＊キーに、「＃」は＃キーに対応する。
【００３６】
機能１１ｃは、制御部１１によって行なわれる制御動作であって、主に設定動作である。そして、「留守録再生」は、既に説明した制御部１１の制御動作の第２の留守録再生機能を示す。「料金表示」は、既に説明した制御部１１の制御動作の第３の通話料金の表示機能を示す。
【００３７】
また、「着信報知設定」は、既に説明した制御部１１の制御動作の第４の着信があった場合の報知方法の設定機能を示す。「マナーモード設定」は、既に説明した制御部１１の制御動作の第５のマナーモードの設定と、その設定の解除機能を示す。「照明設定」は、既に説明した制御部１１の制御動作の第６の表示部１５の輝度設定機能を示す。
【００３８】
また、「セキュリティ設定」は、既に説明した制御部１１の制御動作の第７の使用者の認証を行なうか否かの機能、また、認証機能を示す。「アラーム設定」は、既に説明した制御部１１の制御動作の第８の時刻アラーム音を発生させる曜日と時刻とを入力する設定機能を示す。「文字設定」は、既に説明した制御部１１の制御動作の第９の入力される文字が１バイト文字か、２バイト文字かを切り替える設定機能を示す。
【００３９】
また、「留守録設定」は、既に説明した制御部１１の制御動作の第１の留守番電話機能を動作させるか否かの設定機能を示す。「スケジュール設定」は、既に説明した制御部１１の制御動作の第１０のスケジュールアラーム音を発生させる日時を入力する設定機能を示す。「その他の設定」は、既に説明した制御部１１の制御動作の第１１の上記以外の設定機能を示す。「待受画面設定」は、既に説明した制御部１１の制御動作の第１２の待受画面の設定機能を示す。
【００４０】
アイコン１１ｄは、機能１１ｃに対応するアイコンとして表示される静止画又は動画であって、機能１１ｃの概要を示す画像である。図３では、アイコン１１ｄは、キー１１ｂを「（」及び「）」で囲んだ例を示すが、実施の際は、例えば、「留守録再生」なる機能１１ｃに対応するアイコン１１ｄは、録音テープが回転している画像とする。また、「料金表示」なる機能１１ｃに対応するアイコン１１ｄは、通貨記号からなる画像とする。以下の機能１１ｃに関連付けられたアイコン１１ｄについても同様である。なお、アイコン１１ｄは、表示部１５に表示されると、関連付けられた機能１１ｃへのショートカットとなる。
【００４１】
機能説明文１１ｅは、機能１１ｃを説明する文章である。一例として、「留守録再生」なる機能１１ｃに対応する機能説明文１１ｅは、「留守録再生（１）」であり、「料金表示」なる機能１１ｃに対応する機能説明文１１ｅは、「料金表示（２）」であることを示す。なお、これらの例示では、機能説明文１１ｅは、機能１１ｃにキー１１ｂを「（」及び「）」で囲んだ文字を連結した文章であるが、これに限るものではない。より長く、詳細な説明文であって良い。
【００４２】
キー機能対応１１ａは、入力装置１６の所定のキー操作に従って記憶される。即ち、キー機能対応１１ａは、装置の使用者の意思に基づく情報である。
【００４３】
なお、図３では、キー１１ｂと、機能１１ｃと、アイコン１１ｄと、機能説明文１１ｅとが連続して記憶され、かつ、関連付けられた情報が連続して記憶されるように図示したが、これは理解を容易にするためであって、これに限るものではない。例えば、アイコン１１ｄは、画像情報であるため、その画像情報は、画像情報専用の記憶部に記憶させ、アイコン１１ｄには、その記憶部へのポインターが記憶されるとしても良い。また、キー機能対応１１ａは、主にキー１１ｂを検索キーに検索されるので、キー１１ｂ順にソートされて記憶されても良い。
【００４４】
次に、制御部１１によって行なわれる装置の使用者による容易な入力を支援する処理動作、即ち、キー１１ｂが接触されると、そのキー１１ｂと関連付けられて記憶された機能１１ｃに係わる情報を表示させると共に、そのキー１１ｂに対応付けられた入力装置１６のキー以外のキーに対応付けられたキー１１ｂと関連付けられて記憶された機能１１ｃの概要を表示させる機能を説明する。
【００４５】
なお、上記キー１１ｂに対応付けられたキー以外のキーの一例は、入力装置１６で上記キー１１ｂに対応付けられたキーの近くに配置されたキーであるが、これに限るものではない。例えば、入力装置１６の所定のキー操作に従ってキー機能対応１１ａに記憶されるとしても良い。また、機能１１ｃの類似度が事前に設定され、類似の機能１１ｃと関連付けられたキー１１ｂに対応付けられたキーであるとしても良い。
【００４６】
図４は、制御部１１によって行なわれる装置の使用者による容易な入力を支援する処理動作のフローチャートを示す。制御部１１は、入力装置１６の機能キー１６ｂ中の所定のキーが操作されると、ダイヤルキー１６ａによって数字や文字が入力される文字入力モードから、ダイヤルキー１６ａの操作によって、所定の機能が実行される機能実行モードに移って、容易な入力を支援する動作を開始する（ステップＳ１０１）。
【００４７】
そして、制御部１１は、ダイヤルキー１６ａ中のキーに関連付けられた機能に係わる情報と、そのキーに関連付けられた機能の概要を表示部１５に表示させる（ステップＳ１０２）。
【００４８】
図５は、この表示の一例を示す。この表示は、装置が受信している電波の強度を示すアンテナ状の画像を含み、表示部１５の最上行に表示されるピクト欄１５ａと、表示部１５の中央部に表示される待受画面１５ｂと、表示部１５の最下行に表示されるアイコン表示１５ｃと、アイコン表示１５ｃの上部に表示される機能表示１５ｄとからなる。
【００４９】
この例示の待受画面１５ｂは、静止画像（図示せず）と共に、時計、即ち、年月日、曜日及び時刻が表示されている。アイコン表示１５ｃは、入力装置１６のダイヤルキー１６ａに対応付けられたキー１１ｂに関連付けられたアイコン１１ｄを横方向に１列に並べたものである。並べる順は、より左の列のキーに対応するアイコン１１ｄをより左に、同じ列のキーのキーについては、より上の行のキーに対応するアイコン１１ｄをより左に並べた順である。
【００５０】
この順に並べた結果、アイコン表示１５ｃは、左から右へ、「１」であるキー１１ｂ、「４」であるキー１１ｂ、「７」であるキー１１ｂ、「＊」であるキー１１ｂ、「２」であるキー１１ｂ、「５」であるキー１１ｂ、「８」であるキー１１ｂ、「０」であるキー１１ｂ、「３」であるキー１１ｂ、「６」であるキー１１ｂ、「９」であるキー１１ｂ、「＃」であるキー１１ｂに、それぞれ関連付けられたアイコン１１ｄとなる。
【００５１】
しかし、表示部１５の表示画面の大きさの制約により、アイコン表示１５ｃは、連続して並べられた４つのアイコン１１ｄであるとする。図５に示す一例では、いずれのダイヤルキー１６ａも操作されていない初期状態であるので、アイコン表示１５ｃは、最左の「１」であるキー１１ｂに関連付けられたアイコン１１ｄを含む４つ、即ち、「１」であるキー１１ｂ、「４」であるキー１１ｂ、「７」であるキー１１ｂ、「＊」であるキー１１ｂに、それぞれ関連付けられたアイコン１１ｄとなっている。
【００５２】
アイコン表示１５ｃは、アイコン１１ｄを上記説明した順によって並べたものであることによって、入力装置１６で近くに配置されたキーに対応するアイコン１１ｄを近くに表示させることができる。また、アイコン１１ｄが表示された順によって、装置の使用者は、そのアイコン１１ｄに対応するキーを容易に知ることができる。なお、上記説明した順に限るものではなく、例えば、左右を逆にしても良い。また、より上の行のキーに対応するアイコン１１ｄをより左に、同じ列のキーのキーについては、より左の列のキーに対応するアイコン１１ｄをより左に並べた順であっても良い。この順の左右を逆にしても良い。
【００５３】
機能表示１５ｄは、いずれかのキー１１ｂに関連付けられた機能説明文１１ｅが表示されたものである。図５に示す一例では、いずれのダイヤルキー１６ａも操作されていない初期状態であるので、アイコン表示１５ｃの最左にアイコン１１ｄが表示された「１」であるキー１１ｂに関連付けられた機能説明文１１ｅである「留守録再生（１）」が表示されている。
【００５４】
図６は、ステップＳ１０２で行なわれる表示部１５の表示の別の一例を示す。この表示は、図５に示した表示の一例と比較して、機能表示１５ｄが表示部１５のより下部に表示されることによって、アイコン表示１５ｃの一部が隠されている点が相違している。即ち、「１」であるキー１１ｂに関連付けられた機能説明文１１ｅである機能表示１５ｄが表示されているのであるから、「１」であるキー１１ｂに関連付けられたアイコン１１ｄは不要であり、そのアイコン１１ｄの表示が隠されている。
【００５５】
なお、この隠されるアイコン１１ｄ以外のアイコン１１ｄは隠されることなく表示されることが望ましい。機能表示１５ｄの表示は、１つのアイコン１１ｄの表示より大きいことが通例であるので、この隠されるアイコン１１ｄ以外のアイコン１１ｄは、図５に示した表示の一例と比較して、間隔を詰めて表示されている。そして、この隠されるアイコン１１ｄ以外のアイコン１１ｄと、機能表示１５ｄとが隠されることなく表示されている。
【００５６】
なお、図６では、隠されるアイコン１１ｄの略半分が隠されている表示を例示したが、これに限るものではない。全てが隠されても良い。全てが隠される表示によれば、機能表示１５ｄによって隠される待受画面１５ｂを少なくすることができる。また、極く一部が隠されても良い。一部が隠される表示によれば、機能表示１５ｄと、その機能表示１５ｄに関連付けられたアイコン１１ｄとの両方の表示によって、装置の使用者は、より早く、より良く機能表示１５ｄを理解することができる。
【００５７】
図４を参照した制御部１１の入力を支援する処理の動作の説明に戻る。次に、制御部１１は、ダイヤルキー１６ａのいずれのキーに如何なる操作がされたか否かを判断する（ステップＳ１０３）。なお、そのキー操作がされない場合、制御部１１は、ステップＳ１０３の判断動作を繰り返す（図示せず）。いずれかのキー操作がされ、その操作は接触であると判断された場合、制御部１１は、そのキーに対応するキー１１ｂと関連付けられたアイコン１１ｄが既に表示されているか否かを判断する（ステップＳ１０４）。
【００５８】
表示されていないと判断された場合、制御部１１は、そのアイコン１１ｄを表示部１５に表示させるべく、アイコン表示１５ｃを左又は右へスクロールさせる（ステップＳ１０５）。ここで、スクロールの量は最小限にする。即ち、左へスクロールされた場合、その表示させるアイコン１１ｄは、表示部１５の右端に表示させ、右へスクロールされた場合、その表示させるアイコン１１ｄは、表示部１５の左端に表示させる。スクロールの量を最小限にすることによって、装置の使用者に与える表示部１５の表示のちらつき感を削減することができる。
【００５９】
そして、制御部１１は、ステップＳ１０５の動作の後、及び、ステップＳ１０４で表示されていると判断された場合、操作されたキーに対応するキー１１ｂと関連付けられた機能表示１５ｄを表示部１５に表示させて（ステップＳ１０６）、ステップＳ１０３のダイヤルキー１６ａのいずれのキーに如何なる操作がされたか否かを判断する動作に移る。
【００６０】
ステップＳ１０３で、いずれかのキー操作がされ、その操作は押下であると判断された場合、制御部１１は、そのキーに関連付けられた機能１１ｃを動作させ（ステップＳ１０７）、その動作が終了した後、ステップＳ１０３のダイヤルキー１６ａのいずれのキーに如何なる操作がされたか否かを判断する動作に移る。
【００６１】
制御部１１は、入力装置１６の機能キー１６ｂ中の所定のキーが操作されると、装置の使用者による容易な入力を支援する処理動作を終了し、機能実行モードから文字入力モードに移る。そして、表示部１５にはピクト欄１５ａと、待受画面１５ｂとを表示させる（図示せず）。
【００６２】
なお、ステップＳ１０２、ステップＳ１０５及びステップＳ１０６のいずれかの動作で表示されたアイコン表示１５ｃと、機能表示１５ｄとは、制御部１１の容易な入力を支援する動作によって消去されることはない。しかし、ステップＳ１０７の機能１１ｃの動作中は、その動作によって表示部１５に表示が行なわれる結果、アイコン表示１５ｃと、機能表示１５ｄとは、隠れることもある。
【００６３】
更に、ステップＳ１０７の機能１１ｃの動作が終了し、ステップＳ１０３の判断動作に移った際、アイコン表示１５ｃと、機能表示１５ｄとは表示される。しかし、これに限るものではなく、機能表示１５ｄは表示されないとしても良い。既に機能１１ｃを動作させたのであるから、その機能１１ｃの説明である機能表示１５ｄの表示の必要性は乏しいと考えられるからである。
【００６４】
ここで、７キーが接触され、続けて押下された際に行われる表示部１５の表示の例を示す。図７は、７キーが接触され、押下されていない間に行なわれる表示部１５の表示の一例であり、図５に示した例と同様に、「アラーム設定（７）」なる機能説明文１１ｅからなる機能表示１５ｄは、アイコン表示１５ｃとは独立して表示されている。一方、図８に示す別の例は、図６に示した例と同様に、機能表示１５ｄによって、アイコン表示１５ｃの７キーに対応するアイコン１１ｄが隠されている。
【００６５】
図９は、７キーが押下され、アラーム設定機能が動作中の表示部１５の表示の一例を示す。この表示は、表示部１５の最上行に表示されるピクト欄１５ａと、表示部１５の中央部に表示されるアラーム設定画面１５ｅと、表示部１５の最下行の左部に表示される第１の機能表示１５ｆと、最下行の右部に表示される第２の機能表示１５ｇとからなる。
【００６６】
アラーム設定画面１５ｅは、アラーム１〜アラーム１０の１０個のアラームに関する情報が縦方向に列挙されており、それらのアラームのそれぞれが設定されているか否か、また、設定されている場合、如何なる時刻に設定されているかを示し、図９に示す例では、アラーム１は、平日の８時３０分に設定され、アラーム２は、休日の８時２０分に設定され、更に、アラーム１０は設定されていないことを示す。
【００６７】
アラーム１〜アラーム１０の１０個のアラームのいずれか１つにはカーソルが置かれ、カーソルは、入力装置１６の十字選択キー１６ｄの上方向キーの押下によって上に表示されたアラームに移動し、下方向キーの押下によって下に表示されたアラームに移動する。カーソルが置かれたアラームは、他のアラームと異なる表示、例えば、異なる色での文字の表示、異なる背景色の表示などにより、使用者に識別される。図９では、カーソルが置かれたアラームを、ハッチングを施すことによって示す。
【００６８】
第１の機能表示１５ｆには「設定」が表示され、第１の機能表示１５ｆの近くに配置された第１の機能キー１６ｅの押下によって、カーソルが置かれたアラームの設定、即ち、設定される曜日と時刻とを入力する画面が表示されることを示している。一方、第２の機能表示１５ｇには「削除」が表示され、第２の機能表示１５ｇの近くに配置された第２の機能キー１６ｆの押下によって、カーソルが置かれたアラームの設定を削除する、即ち、設定される曜日と時刻とを削除することを示している。
【００６９】
以上の説明で、ステップＳ１０２のいずれのダイヤルキー１６ａも操作されていない初期状態において、制御部１１は、アイコン表示１５ｃと、機能表示１５ｄとを表示部１５に表示させるとしたが、これに限るものではない。いずれかのダイヤルキー１６ａが操作された後に限って、アイコン表示１５ｃと、機能表示１５ｄとを表示部１５に表示させるとしても良い。
【００７０】
ここで、ダイヤルキー１６ａへの接触後、所定の短時間が経過する以前にそのキーが押下された場合、以上の説明では、制御部１１は、所定の短時間に満たない時間に渡って、そのキーに対応するアイコン１１ｄを含むアイコン表示１５ｃと、そのキーに対応する機能表示１５ｄを表示させる。なお、表示されていたアイコン表示１５ｃにそのキーに対応するアイコン１１ｄが含まれていない場合、アイコン表示１５ｃのスクロールを伴う。
【００７１】
しかし、これに限るものではなく、制御部１１は、ダイヤルキー１６ａへの接触後、所定の短時間が経過する以前にそのキーが押下された場合、そのキーに対応するアイコン１１ｄの表示と、機能表示１５ｄの表示を行なわないことが好ましい。この場合、装置の使用者は、そのキーに関連付けられた機能１１ｃを熟知しており、それらの表示は不要と考えられるからである。また、表示部１５の表示が短時間で変化することによる表示部１５の表示のちらつきが生じ、装置の使用者が奇異に感じることを防止するためである。
【００７２】
上記の場合、上記キーに対応するアイコン１１ｄの表示と、機能表示１５ｄの表示を行なわないためには、制御部１１は、ステップＳ１０４で、表示されていないと判断された場合、ステップＳ１０５の動作の前に、また、ステップＳ１０４で、表示されていると判断された場合、ステップＳ１０６の動作の前に、それぞれ所定の短時間の経過待ちを行い、上記キーが押下されることなしにその時間が経過した場合、それぞれステップＳ１０５の動作、ステップＳ１０６の動作に移る。その時間が経過する前に上記キーが押下された場合、ステップＳ１０７の動作に移る。
【００７３】
また、ダイヤルキー１６ａの１つのキーへ接触されている際に、ダイヤルキー１６ａの上記キーと異なるキーへ接触された場合、以上の説明では、制御部１１は、その異なるキーに対応するアイコン１１ｄを含むアイコン表示１５ｃと、機能説明文１１ｅからなる機能表示１５ｄとを表示させる。上記異なるキーへの接触は、使用者の意図に従って、新たになされた接触であると考えられるからである。
【００７４】
しかし、これに限るものではない。ダイヤルキー１６ａの複数のキーへ接触されている際に、制御部１１は、その複数のキーの中で、最初に接触されたキーに対応するアイコン１１ｄを含むアイコン表示１５ｃと、機能説明文１１ｅからなる機能表示１５ｄとを表示させるとしても良い。上記最初に接触されたキーが、使用者の意図に従ったものであり、新たになされた接触は、意図と無関係に偶然に行なわれた接触であると考えられるからである。
【００７５】
また、制御部１１は、複数のキーへ接触されてから所定時間経過後に引き続き接触されたキーに対応するアイコン１１ｄを含むアイコン表示１５ｃと、機能説明文１１ｅからなる機能表示１５ｄとを表示させるとしても良い。なぜなら、所定時間経過前に接触が終了した場合、その接触は、誤って接触したと考えられ、一方、所定時間経過後に引き続き接触されていることは、その引き続き接触されたキーが、使用者の意図に従ったものと考えられるからである。
【００７６】
また、ダイヤルキー１６ａの１つのキーへ接触されている際に、ダイヤルキー１６ａの上記キーと異なるキーが押下された場合、制御部１１は、以上の説明で、その異なるキーの押下の前にその異なるキーに接触された時間の長短に拘らず、制御部１１は、押下されたキーに対応する機能１１ｃを実行する。なお、この実行の前に、押下されたキーに対応するアイコン１１ｄの表示と、機能表示１５ｄの表示を行うか否かは、上記説明の通り、いずれも可であるが、表示を行なわないことが好ましい。
【００７７】
以上の説明で、機能表示１５ｄは、機能説明文１１ｅが表示されたものであり、文であるとしたが、これに限るものではない。画像であっても良い。また、アイコン表示１５ｃは、アイコン１１ｄが複数表示されたものであり、画像であるとしたが、これに限るものではない。文字列であっても良い。ただし、１つのアイコン１１ｄの表示は、機能説明文１１ｅの表示に比較して、小さいことが適切である。なぜなら、アイコン１１ｄは、複数が同時に表示されるからである。
【００７８】
以上の説明で、キー機能対応１１ａは、キー１１ｂと、制御部１１によって実行される機能１１ｃとが関連付けられており、機能１１ｃに係わる情報が機能１１ｃに関連付けられたアイコン１１ｄと、機能説明文１１ｅとであるとした。また、アイコン１１ｄは、機能１１ｃのショートカットに相当するとしたが、これに限るものではない。
【００７９】
図１０は、キー機能対応１１ａの別の一例を示す。このキー機能対応１１ａは、キー１１ｂと、タスク１１ｆと、アイコン１１ｇと、タスク説明文１１ｈとが関連付けられた情報からなる。図３に示すキー機能対応１１ａと比較して、重要な相違点は、機能１１ｃに代えて、アプリケーション処理部２１によってアプリケーションタスクとして実行されるタスク１１ｆが記憶されていることである。制御部１１は、機能１１ｃを実行することに代えて、アプリケーション処理部２１に指示して、タスク１１ｆを実行させる。
【００８０】
なお、アイコン１１ｇと、タスク説明文１１ｈとは、いずれも関連付けられたタスク１１ｆに係わる情報であって、それぞれアイコン１１ｄと、機能説明文１１ｅと同様な情報であり、同様に使用される。
【００８１】
更に、図３に示すキー機能対応１１ａと、図１０に示すキー機能対応１１ａとが混合して記憶されていても良い。この際、機能１１ｃのショートカットに相当するアイコン１１ｄと、タスク１１ｆと関連付けられたアイコン１１ｇとは、識別可能に、例えば、異なる色で、また、異なる行に表示されるとしても良い。
【００８２】
以上の説明で、ダイヤルキー１６ａの中のキーへの接触によって、そのキーに対応付けられた機能１１ｃに関連付けられたアイコン１１ｄや、機能説明文１１ｅが表示部１５に表示されるとしたが、これに限るものではない。例えば、以下の動作が併せて行われても良い。
【００８３】
即ち、所定の機能キー１６ｂの押下によって、図５に示すアイコン表示１５ｃが表示され、表示されたアイコン表示１５ｃの中の１つのアイコン１１ｄにカーソルが置かれる。ここで、アイコン１１ｄは、機能１１ｃを指すショートカットである。そして、十字選択キー１６ｄの左方向キーと、右方向キーとの押下によって、それぞれカーソルが左に隣接するアイコン１１ｄへ移され、また、右に隣接するアイコン１１ｄへ移される。
【００８４】
次に、決定キー１６ｃへの接触によってカーソルが置かれたアイコン１１ｄと関連付けられた機能説明文１１ｅが表示され、決定キー１６ｃの押下によってカーソルが置かれたアイコン１１ｄと関連付けられた機能１１ｃが動作されるとしても良い。
【００８５】
以上の説明で、入力装置１６の入力素子であるキーに対する第１の操作は、そのキーへの接触であり、第２の操作は、そのキーへの接触に続いて行なわれる押下であるとしたが、これに限るものではない。まず、第２の操作は、第１の操作に続いて行われると限るものではない。第１の操作を経ることなく第２の操作が行われても良い。
【００８６】
また、第１の操作は半押し、第２の操作は全押しでも良い。また、第１の操作は所定時間以内の押下、第２の操作は所定時間を超える押下でも良い。また、第１の操作は１回の押下、第２の操作は、短い所定時間の間隔を設けて行なわれた複数回の押下でも良い。また、第１の操作は１つのキーの押下、第２の操作はそのキーとそのキー以外の所定のキーとに対して同時に行なわれた押下でも良い。更に、入力装置１６の入力素子は感圧素子であり、第１の操作は所定圧力以下の加圧、第２の操作は所定圧力を超える加圧でも良い。
【００８７】
以上の説明は、本発明を移動通信装置に適用した形態を例にとって行ったが、これに限るものではない。本発明は、全ての情報処理装置、例えば、パソコンや、ＰＤＡ（Personal Digital Assistant）に適用することが当然に可能である。なお、表示部の表示画面が大きい装置、また、多くのキーからなる入力装置を有する装置であっても、本発明の有効性が失われることがない。本発明は以上の構成に限定されるものではなく、種々の変形が可能である。
【図面の簡単な説明】
【００８８】
【図１】本発明の実施形態に係わる開閉自在の折畳み型移動通信装置の上下筐体を開いた際の前面の外観図。
【図２】本発明の実施形態に係わる移動通信装置の構成を示すブロック図。
【図３】本発明の実施形態に係わるキー機能対応の構成の一例を示す図。
【図４】本発明の実施形態に係わる制御部の容易な入力を支援する処理動作のフローチャート。
【図５】本発明の実施形態に係わる制御部の容易な入力を支援する処理動作中の表示部の表示の例（その１）。
【図６】本発明の実施形態に係わる制御部の容易な入力を支援する処理動作中の表示部の表示の例（その２）。
【図７】本発明の実施形態に係わる制御部の容易な入力を支援する処理動作中の表示部の表示の例（その３）。
【図８】本発明の実施形態に係わる制御部の容易な入力を支援する処理動作中の表示部の表示の例（その４）。
【図９】本発明の実施形態に係わる制御部のアラーム設定動作中の表示部の表示の例。
【図１０】本発明の実施形態に係わるキー機能対応の構成の第２の一例を示す図。
【符号の説明】
【００８９】
１１  制御部
１１ａ  キー機能対応
１１ｂ  キー
１１ｃ  機能
１１ｄ、１１ｇ  アイコン
１１ｅ  機能説明文
１１ｆ  タスク
１１ｈ  タスク説明文
１５  表示部
１５ｃ  アイコン表示
１５ｄ  機能表示
１６  入力装置
１６ａ  ダイヤルキー
１６ｂ  機能キー
１６ｃ  決定キー
１６ｄ  十字選択キー
１６ｅ  第１の機能キー
１６ｆ  第２の機能キー
２１  アプリケーション処理部
【図１】
2009276855.tif 000003
【図２】
2009276855.tif 000004
【図３】
2009276855.tif 000005
【図４】
2009276855.tif 000006
【図５】
2009276855.tif 000007
【図６】
2009276855.tif 000008
【図７】
2009276855.tif 000009
【図８】
2009276855.tif 000010
【図９】
2009276855.tif 000011
【図１０】
2009276855.tif 000012